(57)【要約】【課題】携帯電話を収納する場所を確保することができるシートカバーを提供する。【解決手段】自動車のフロントシートＦの背部前面Ｓ1 ・背部左右側面Ｓ4 及び座部上面Ｓ5 を少くとも被覆するシートカバーに於て、背部Ｓの前面Ｓ1 を被覆する前面布体部１と、背部Ｓの左右側面Ｓ4 を被覆する側面布体部４を有し、側面布体部４に、携帯電話Ｋを収納するポケット６が形成されている。ポケット６が、面状ファスナー７によって開閉自在な蓋８を有する。【選択図】図１
0003131276.tif 000002
【実用新案登録請求の範囲】
【請求項１】
自動車のフロントシート（Ｆ）の背部前面（Ｓ1 ）・背部左右側面（Ｓ4 ）及び座部上面（Ｓ5 ）を少くとも被覆するシートカバーに於て、上記背部（Ｓ）の前面（Ｓ1 ）を被覆する前面布体部（１）と、上記背部（Ｓ）の左右側面（Ｓ4 ）を被覆する側面布体部（４）を有し、上記前面布体部（１）及び／又は側面布体部（４）に、携帯電話（Ｋ）及び／又はドリンク（Ｄ）を収納するポケット（６）を形成したことを特徴とするシートカバー。
【請求項２】
自動車のフロントシート（Ｆ）の背部前面（Ｓ1 ）・背部上面（Ｓ2 ）・背部後面上半（Ｓ3 ）及び座部上面（Ｓ5 ）を少くとも被覆するシートカバーに於て、上記背部（Ｓ）の後面上半（Ｓ3 ）を被覆する後面布体部（３）と、該背部後面上半（Ｓ3 ）との間に、シークレットポケット（９）を形成したことを特徴とするシートカバー。
【請求項３】
上記ポケット（６）が、面状ファスナー（７）によって開閉自在な蓋（８）を有する請求項１記載のシートカバー。
【考案の詳細な説明】
【技術分野】
【０００１】
本考案は、シートカバーに関する。
【背景技術】
【０００２】
一般に、シートに汚れが付着することを防止するために、又は、車内を装飾するために、シートカバーが用いられる（例えば、特許文献１参照）。
【０００３】
ところで、車内では、携帯電話やペットボトル等の置き場所に困ることがよくある。しかし、従来のシートカバーには、ポケットがなく、携帯電話やペットボトルを収納することができなかった。
【特許文献１】特開２００５−２８７５５９号公報
【考案の開示】
【考案が解決しようとする課題】
【０００４】
解決しようとする課題は、車内では収納部が少なく、特に、携帯電話や（複数の）ペットボトルの置き場所に困る点である。
【課題を解決するための手段】
【０００５】
そこで、本考案に係るシートカバーは、自動車のフロントシートの背部前面・背部左右側面及び座部上面を少くとも被覆するシートカバーに於て、上記背部の前面を被覆する前面布体部と、上記背部の左右側面を被覆する側面布体部を有し、上記前面布体部及び／又は側面布体部に、携帯電話及び／又はドリンクを収納するポケットを形成したものである。
また、自動車のフロントシートの背部前面・背部上面・背部後面上半及び座部上面を少くとも被覆するシートカバーに於て、上記背部の後面上半を被覆する後面布体部と、該背部後面上半との間に、シークレットポケットを形成したものである。
また、上記ポケットが、面状ファスナーによって開閉自在な蓋を有するものである。
【考案の効果】
【０００６】
本考案のシートカバーによれば、携帯電話やペットボトル等を収納する場所を確保することができる。
【考案を実施するための最良の形態】
【０００７】
図１〜図３は、本考案の第１の実施の形態の使用状態を示す。このシートカバーは、例えば、合成樹脂（合成ゴムを含む）又は天然繊維の布体から成る。そして、自動車のフロントシートＦに被覆して用いられる。具体的には、シートカバーが、自動車のフロントシートＦの背部前面Ｓ1 ・背部上面Ｓ2 ・背部後面上半Ｓ3 ・背部左右側面Ｓ4 及び座部上面Ｓ5 を被覆する。
【０００８】
すなわち、背部Ｓの前面Ｓ1 を被覆する前面布体部１と、背部Ｓの上面Ｓ2 を被覆する背部上面布体部２と、背部Ｓの後面上半Ｓ3 を被覆する後面布体部３と、背部Ｓの左右側面Ｓ4 （の一方）を被覆する側面布体部４と、座部Ｚの上面Ｓ5 を被覆する座部上面布体部５を有する。
【０００９】
左右の側面布体部４に、携帯電話Ｋを収納するポケット６が形成されている。ポケット６が、（ポケット用）面状ファスナー７によって開閉自在な蓋８を有する。
【００１０】
図１・図２・図４・図５に示すように、後面布体部３と背部後面上半Ｓ3 との間に、シークレットポケット（隠し袋部）９が形成されている。シークレットポケット９は、例えば、合成樹脂又は天然繊維のメッシュから成る。シークレットポケット９は、開口部10に（シークレットポケット用）面状ファスナー11を有し、開閉自在に構成されている。
【００１１】
図１〜図４に示すように、側面布体部４が、全体をフロントシートＦの背部Ｓにずれを防止しつつ付設するための左右一対の付設ベルト12を、後端縁14に有する。左右一対の付設ベルト12は、（付設ベルト用）面状ファスナー13によって相互に着脱自在に構成されている。
【００１２】
図６は、第２の実施の形態の使用状態を示す。ポケット６が前面布体部１に形成されている。ポケット６にドリンクＤが収納されている。本考案に於て、「ドリンク」とは、ペットボトル、飲料缶等の飲料用包装容器をいうものとする。その他の構成は、第１の実施の形態と同様である。
【００１３】
なお、図示省略したが、複数の布体（シートカバーの全体を任意の分割線にて分割した形状のもの）を相互に縫合わせてシートカバーを製造するのが好ましい。本考案は、設計変更可能であって、例えば、ポケット６を左右の側面布体部４の一方のみに形成するも良い。また、前面布体部１及び側面布体部４に、ポケット６を形成するも良い。また、ポケット６の形状や大きさは図示のものに限定されず、例えば、携帯電話Ｋと略等しい形状や大きさに設定するも良い。また、ポケット６の蓋８を、係止部（例えばボタン）と被係止部（例えばボタン孔）によって開閉自在に構成するも良い。また、シークレットポケット９を省略するも良い。
【００１４】
以上のように、本考案は、自動車のフロントシートＦの背部前面Ｓ1 ・背部左右側面Ｓ4 及び座部上面Ｓ5 を少くとも被覆するシートカバーに於て、背部Ｓの前面Ｓ1 を被覆する前面布体部１と、背部Ｓの左右側面Ｓ4 を被覆する側面布体部４を有し、前面布体部１及び／又は側面布体部４に、携帯電話Ｋ及び／又はドリンクＤを収納するポケット６を形成したので、携帯電話ＫやドリンクＤ等を収納する場所を確保することができて至便である。
【００１５】
また、自動車のフロントシートＦの背部前面Ｓ1 ・背部上面Ｓ2 ・背部後面上半Ｓ3 及び座部上面Ｓ5 を少くとも被覆するシートカバーに於て、背部Ｓの後面上半Ｓ3 を被覆する後面布体部３と、背部後面上半Ｓ3 との間に、シークレットポケット９を形成したので、携帯電話ＫやドリンクＤ等を収納する場所を確保することができて至便である。
【００１６】
また、ポケット６が、面状ファスナー７によって開閉自在な蓋８を有するので、携帯電話Ｋ等を確実に収納することができる。
【図面の簡単な説明】
【００１７】
【図１】本考案の第１の実施の形態の使用状態を示す側面図である。
【図２】背面図である。
【図３】図２のＡ−Ａ断面図である。
【図４】背面図である。
【図５】後面布体部を前面側から見た説明用斜視図である。
【図６】第２の実施の形態の使用状態を示す正面図である。
【符号の説明】
【００１８】
１  前面布体部
２  背部上面布体部
３  後面布体部
４  側面布体部
６  ポケット
７  （ポケット用）面状ファスナー
８  蓋
９  シークレットポケット
Ｄ  ドリンク
Ｆ  フロントシート
Ｋ  携帯電話
Ｓ  背部
Ｓ1 （背部）前面
Ｓ3 （背部）後面上半
Ｓ4 （背部）左右側面
Ｓ5 （座部）上面
【図１】
0003131276.tif 000003
【図２】
0003131276.tif 000004
【図３】
0003131276.tif 000005
【図４】
0003131276.tif 000006
【図５】
0003131276.tif 000007
【図６】
0003131276.tif 000008